(57)【要約】【課題】ボトル形状の容器に収容された食品の温度を正確に測定することのできる食品加熱装置を提供する。【解決手段】注ぎ口と胴部との間に絞り部を有するペットボトル飲料Ｘの絞り部Ｘ１の温度を測定する温度測定ユニット１４を備え、温度測定ユニット１４が赤外線放射温度計１４ａを有する。ペットボトル内の空気層は絞り部Ｘ１には存在せず、一般に、絞り部Ｘ１にはペットボトルを覆うラベルが存在しないか又は存在しても隙間（空気層）がない。さらに、絞り部Ｘ１の厚さは他の部分と比較して厚いこともない。従って、ペットボトル飲料Ｘの絞り部Ｘ１の温度を測定することにより、ペットボトル内に収容された飲料の温度を正確に測定することができる。【選択図】図４
2007335085.tif 000002
【特許請求の範囲】
【請求項１】
注ぎ口と胴部との間に絞り部を有するボトル形状の容器に収容された食品を加熱する食品加熱装置において、
容器の絞り部の温度を測定する温度測定手段を備え、
温度測定手段が赤外線放射温度計を有する
ことを特徴とする食品加熱装置。
【請求項２】
前記赤外線放射温度計が容器の水平方向から絞り部の温度を測定するように配置した
ことを特徴とする請求項１に記載の食品加熱装置。
【請求項３】
前記赤外線放射温度計が容器の絞り部の外面に対して垂直方向から絞り部の温度を測定するように配置した
ことを特徴とする請求項１に記載の食品加熱装置。
【請求項４】
前記容器が注ぎ口側から格納される格納部と、
格納部に格納された容器の絞り部にマイクロ波を照射するマイクロ波照射器と、
格納部と赤外線放射温度計とを連通するパイプとを備え、
マイクロ波が赤外線放射温度計に入射しないように、パイプの径及び長さを設定した
ことを特徴とする請求項１乃至３の何れかに記載の食品加熱装置。
【請求項５】
前記容器が注ぎ口側から格納される格納部と、
格納部に格納された容器の絞り部にマイクロ波を照射するマイクロ波照射器と、
格納部と赤外線放射温度計とを連通するパイプとを備え、
マイクロ波照射器がマイクロ波を発生させるマグネトロンを有し、
格納部に格納された容器に関してマグネトロンと反対側に赤外線放射温度計を設けた
ことを特徴とする請求項１乃至３の何れかに記載の食品加熱装置。
【請求項６】
前記赤外線放射温度計を複数設け、
マイクロ波照射器により容器の絞り部にマイクロ波を照射しているときに、各赤外線放射温度計により同時に測定された各温度の平均温度を測定するようにした
ことを特徴とする請求項４又は５に記載の食品加熱装置。
【請求項７】
前記温度測定手段が赤外線放射温度計を覆うケースを有し、ケースをパイプに取り付けた
ことを特徴とする請求項４乃至６の何れかに記載の食品加熱装置。
【請求項８】
前記ケースをパイプに取り付けたときに、赤外線放射温度計がパイプの中心軸上にあるように配置した
ことを特徴とする請求項７に記載の食品加熱装置。
【請求項９】
前記格納部と赤外線放射温度計との間を閉鎖する赤外線透過性のカバーを備えた
ことを特徴とする請求項４乃至８の何れかに記載の食品加熱装置。
【請求項１０】
前記格納部と赤外線放射温度計との間を閉鎖し、赤外線放射温度計が容器の絞り部の温度を測定するときに開くシャッターを備えた
ことを特徴とする請求項４乃至９の何れかに記載の食品加熱装置。
【請求項１１】
前記パイプの内面が黒色に塗装されている
ことを特徴とする請求項４乃至１０の何れかに記載の食品加熱装置。
【発明の詳細な説明】
【技術分野】
【０００１】
本発明は、ビン飲料、ペットボトル飲料等のボトル形状の容器に収容された食品を加熱する食品加熱装置に関するものである。
【背景技術】
【０００２】
一般に、缶飲料、ペットボトル飲料等の容器入りの食品を加熱する場合は、これらの食品をショーケースに収納して加熱したり、自動販売機に貯蔵して加熱したりして、これらの食品を販売するようにしている。
【０００３】
しかし、このようなショーケースや自動販売機では、収納し又は貯蔵する食品を常時加熱して保管するので、エネルギー効率上、必ずしも有効な加熱手段ではなかった。また、長時間の高温加熱保管は食品の品質劣化を招き、食品を早期に廃棄したり消費期限を短期化させるという問題点もあった。
【０００４】
このような問題点に対し、加熱手段としてマイクロ波による食品加熱装置を備えた自動販売機において、自動販売機本体の上部に設けられた収納部から搬出された食品が緩やかな傾斜部を転動しながら自動販売機本体の下部に設けられた取出部に搬送される間に、マイクロ波により所定温度まで加熱するようにしたものが知られている（例えば特許文献１参照。）。
【特許文献１】特開平１０−２７５２７３号公報
【発明の開示】
【発明が解決しようとする課題】
【０００５】
一般に、容器入りの食品が所定温度に達しているとき、容器も所定温度に達しているとみなすことができるので、容器内の食品の温度を測定する代わりに容器の温度を測定している。
【０００６】
しかしながら、容器の測定箇所によっては、容器内の空気層が存在する場合、容器と容器を覆うラベル等との間に隙間（空気層）が存在する場合、容器の厚さが他の部分よりも厚い場合等があり、容器内の食品の温度を正確に測定することができないといった問題点があった。
【０００７】
本発明は前記問題点に鑑みてなされたものであり、その目的とするところは、ボトル形状の容器に収容された食品の温度を正確に測定することのできる食品加熱装置を提供することにある。
【課題を解決するための手段】
【０００８】
本発明は前記目的を達成するために、注ぎ口と胴部との間に絞り部を有するボトル形状の容器に収容された食品を加熱する食品加熱装置において、容器の絞り部の温度を測定する温度測定手段を備え、温度測定手段が赤外線放射温度計を有する食品加熱装置を提案する。
【０００９】
この食品加熱装置によれば、容器の絞り部の温度が測定される。ここで、容器の絞り部には容器内の空気層が存在せず、容器を覆うラベルが存在しないか又は存在しても隙間（空気層）がない。また、容器の絞り部の厚さは他の部分と比較して厚いこともない。従って、容器の絞り部の温度を測定することにより、容器内に収容された食品の温度を正確に測定することができる。
【発明の効果】
【００１０】
本発明に係る食品加熱装置によれば、容器の絞り部の温度を測定することにより、容器内に収容された食品の温度を正確に測定することができるから、例えば測定された温度に基づいて加熱を制御することで、容器内の飲料を正確な温度に加熱することが可能となる。
【発明を実施するための最良の形態】
【００１１】
図１乃至図５は本発明の第１実施形態を示すもので、図１は食品加熱装置の側面図、図２は図１に示した食品加熱装置にペットボトル飲料を格納した状態を説明する断面図、図３は図１に示した食品加熱装置の上面図、図４は図１に示したパイプ及び温度測定ユニットの拡大断面図、図５は図１に示したパイプ及び温度測定ユニットの変形例を示す拡大断面図である。なお、以下の説明において、特に明記した場合を除き、注ぎ口と胴部との間に絞り部を有するボトル形状の容器に収容された食品として、ペットボトル飲料Ｘを用いて説明する。
【００１２】
図１、図２、及び図３に示すように、食品加熱装置１０は、マイクロ波照射器である加熱器１１及び導波管１２、格納部である保管筒１３（マイクロ波照射室）、温度測定手段である温度測定ユニット１４、及びパイプ１５を備えている。  加熱器１１は周知のマグネトロンであり、電源（図示せず）から供給された電力によりマイクロ波を発生させ、アンテナ１１ａから放出するようになっている。
【００１３】
導波管１２は、上板面１２ａの一部を開口して保管筒１３と接続しており、加熱器１１から放出されたマイクロ波を筒１３の方向に伝播させている。
【００１４】
保管筒１３は上面及び下面が開口した円筒形状からなり、下面開口部が導波管１２と接続している。また、保管筒１３の上面開口部には上蓋１３ａが開閉自在に設けられており、上蓋１３ａを開閉することにより、ペットボトル飲料Ｘを上面開口部から格納可能とするとともに、保管筒１３からマイクロ波が漏洩するのを防止するようになっている。なお、本実施形態では保管筒１３を円筒形状としたが、これに限定されず、円筒以外の形状、例えば楕円や多角形であってもよい。
【００１５】
孔１２ｂは、導波管１２の上板面１２ａの一部を開口して設けられており、加熱器１１（マグネトロン）のアンテナ１１ａが挿入されている。
【００１６】
スタブ１２ｃは、上板面１２ａの内側に設けられており、アンテナ１１ａから放出されたマイクロ波を効率良くペットボトル飲料Ｘに入射させるための整合器として機能している。
【００１７】
このように構成された食品加熱装置１０において、ペットボトル飲料Ｘの注ぎ口Ｘ２側から、すなわちペットボトル飲料Ｘの胴部Ｘ３を上にして保管筒１３に格納し、アンテナ１１ａからペットボトル飲料Ｘの絞り部Ｘ１にマイクロ波を照射することにより、ペットボトル内の飲料の対流を効率良く導くことが可能となり、ペットボトル飲料Ｘを均一に加熱することができる。なお、本実施形態では加熱器１１及び導波管１２をそれぞれ１つずつ設けるようにしたが、これに限定されず、それぞれ複数設けるようにしてもよい。これにより、ペットボトル飲料Ｘに複数方向からマイクロ波が照射され、より短時間で加熱することが可能となる。
【００１８】
図４に示すように、温度測定ユニット１４は周知の赤外線放射温度計１４ａ、ケース１４ｂ、及びネジ１４ｃから構成されており、筒１３に格納されたペットボトル飲料Ｘの絞り部Ｘ１の温度を測定している。ここで、ペットボトル飲料Ｘは注ぎ口Ｘ２側から保管筒１３に投入されるので、ペットボトル内の空気層はペットボトルの底面に存在し、絞り部Ｘ１には存在しない。また、一般に、絞り部Ｘ１にはペットボトルを覆うラベルが存在しないか又は存在しても隙間（空気層）がない。さらに、絞り部Ｘ１の厚さは他の部分、例えば底面やキャップ等と比較して厚いこともない。従って、ペットボトル飲料Ｘの絞り部Ｘ１の温度を測定することにより、ペットボトル内に収容された飲料の温度を正確に測定することができる。
【００１９】
なお、本実施形態ではペットボトル飲料Ｘを注ぎ口Ｘ２側から保管筒１３に格納しているが、これに限定されず、底面方向から保管筒１３に格納して絞り部Ｘ１の温度を測定するようにしてもよい。また、マイクロ波をペットボトル飲料Ｘに照射して加熱しているが、これに限定されず、高周波誘導、電熱等を用いて加熱して、ペットボトル飲料Ｘの絞り部Ｘ１の温度を測定するようにしてもよい。
【００２０】
赤外線放射温度計１４ａは、測定角度θを変化することが可能であり、絞り部Ｘ１の測定範囲Ａから放射された赤外線を受光して温度信号を制御部（図示せず）に出力している。
【００２１】
ケース１４ｂは赤外線放射温度計１４ａを覆っており、ネジ１４ｃでパイプ１５に取り付けられている。このように、ケース１４ｂによって赤外線放射温度計１４ａを覆うことにより測定範囲Ａ以外の赤外線の影響を低減することができるとともに、ケース１４ｂをパイプ１５にネジ１４ｃで取り付けることにより着脱が容易になる。
【００２２】
また、ケース１４ｂをパイプ１５に取り付けたときに、赤外線放射温度計１４ａはパイプ１５の中心軸Ｃ上に配置されている。これにより、測定角度θを最大にすることができる。
【００２３】
パイプ１５は、保管筒１３に格納されたペットボトル飲料Ｘの水平方向に設けられており、保管筒１３と温度測定ユニット１４とを連通している。これにより、ペットボトル飲料Ｘの水平方向から絞り部Ｘ１の温度が測定されるので、その測定範囲Ａは楕円形状になる。
【００２４】
なお、本実施形態では赤外線放射温度計１４ａはペットボトル飲料Ｘの水平方向から絞り部Ｘ１の温度を測定しているが、これに限定されず、例えば図５に示すように、パイプ１５を保管筒１３に格納されたペットボトル飲料Ｘの絞り部Ｘ１の外面に対して垂直方向に設けるようにしてもよい。これにより、ペットボトル飲料Ｘの絞り部Ｘ１の外面に対して垂直方向から絞り部Ｘ１の温度が測定されるので、その測定範囲Ａは円形状になる。
【００２５】
このように、本実施形態によれば、ペットボトル飲料Ｘの絞り部Ｘ１を測定するので、ペットボトル内に収容された飲料の温度を正確に測定することができるから、例えば測定された温度に基づいて加熱を制御することで、容器内の飲料を正確な温度に加熱することが可能となる。
【００２６】
また、パイプ１５及び温度測定ユニット１４を保管筒１３に格納されたペットボトル飲料Ｘの水平方向に設けることにより、ペットボトル飲料Ｘの水平方向から絞り部Ｘ１の温度が測定されるので、その測定範囲Ａは楕円形状になることから、絞り部Ｘ１の広い範囲の温度を測定する場合に有効である。
【００２７】
さらに、パイプ１５及び温度測定ユニット１４を保管筒１３に格納されたペットボトル飲料Ｘの絞り部Ｘ１の外面に対して垂直方向に設けることにより、ペットボトル飲料Ｘの絞り部Ｘ１の外面に対して垂直方向から絞り部Ｘ１の温度が測定されるので、その測定範囲Ａは円形状になることから、絞り部Ｘ１の狭い範囲の温度を測定する場合に有効である。
【００２８】
さらに、ケース１４ｂによって赤外線放射温度計１４ａを覆うので測定範囲Ａ以外の赤外線の影響を低減することができるから、更に正確に温度を測定することができるとともに、ケース１４ｂをパイプ１５にネジ１４ｃで取り付けるので着脱が容易になることから、温度測定ユニット１４の交換が容易になる。
【００２９】
さらに、ケース１４ｂをパイプ１５に取り付けたときに、赤外線放射温度計１４ａはパイプ１５の中心軸Ｃ上に配置されているので、測定角度θを最大にすることができるから、絞り部Ｘ１の広い範囲の温度を測定する場合に有効である。
【００３０】
図６及び図７は本発明の第２実施形態を示すもので、図６はパイプの断面図、図７はマイクロ波の減衰特性を示す図である。
【００３１】
第２実施形態と第１実施形態との相違点は、マイクロ波が赤外線放射温度計１４ａに入射しないように、パイプ１５の径及び長さを設定したことである。なお、前述した第１実施形態と同一構成部分は同一符号をもって表し、その説明を省略する。
【００３２】
すなわち、図６に示すようにパイプ１５の半径ｒ及び長さＬを設定した場合、パイプ１５に入射した周波数２４５０ＭＨｚのマイクロ波は図７に示すように減衰する。例えば、半径ｒが５ｍｍのときに長さＬが１０ｍｍ以上であればパイプ１５に入射したマイクロ波は完全に減衰する（ゼロになる）。これにより、パイプ１５に入射したマイクロ波が完全に減衰するようにパイプ１５の径２ｒ（又は半径ｒ）及び長さＬを設定することで、赤外線放射温度計１４ａにマイクロ波が入射しない。
【００３３】
このように、本実施形態によれば、第１実施形態と同様の効果に加え、パイプ１５に入射したマイクロ波が完全に減衰するようにパイプ１５の径２ｒ（又は半径ｒ）及び長さＬを設定することにより、赤外線放射温度計１４ａにマイクロ波が入射しないので、マイクロ波の影響を受けることがなく、更に正確に温度を測定することができる。
【００３４】
図８は本発明の第３実施形態を示すもので、同図は食品加熱装置の上面図である。
【００３５】
第３実施形態と第１実施形態との相違点は、温度測定ユニット１４を保管筒１３に格納されたペットボトル飲料Ｘに関して加熱器１１（マグネトロン）と反対側に設けたことである。なお、前述した第１実施形態と同一構成部分は同一符号をもって表し、その説明を省略する。
【００３６】
すなわち、図８に示すように、温度測定ユニット１４は保管筒１３に格納されたペットボトル飲料Ｘに関して加熱器１１（マグネトロン）と対向する位置に設けられている。加熱器１１（マグネトロン）はアンテナ１１ａからマイクロ波を放出してペットボトル飲料Ｘの絞り部Ｘ１に照射しており、マイクロ波はペットボトル内の飲料に吸収される。これにより、ペットボトル飲料Ｘに関して加熱器１１（マグネトロン）と反対側はマイクロ波による電界が弱くなる。
【００３７】
このように、本実施形態によれば、第１実施形態と同様の効果に加え、温度測定ユニット１４を保管筒１３に格納されたペットボトル飲料Ｘに関して加熱器１１（マグネトロン）と反対側に設けたので、ペットボトル飲料Ｘに関して加熱器１１（マグネトロン）と反対側はマイクロ波による電界が弱くなることから、マイクロ波の影響を低減することができ、更に正確に温度を測定することができる。
【００３８】
図９及び図１０は本発明の第４実施形態を示すもので、図９は食品加熱装置の上面図、図１０は図９に示した食品加熱装置の変形例を示す上面図である。
【００３９】
第４実施形態と第１実施形態との相違点は、温度測定手段として複数の温度測定ユニット１４を設けたことである。なお、前述した第１実施形態と同一構成部分は同一符号をもって表し、その説明を省略する。
【００４０】
すなわち、図９に示すように、２つの温度測定ユニット１４Ａ，１４Ｂを互いに対向する位置に設けている。加熱器１１（マグネトロン）はアンテナ１１ａからマイクロ波を放出してペットボトル飲料Ｘの絞り部Ｘ１に照射している。このとき、温度測定ユニット１４Ａ，１４Ｂは同時に絞り部Ｘ１の温度を測定し、各温度を平均して平均温度の温度信号を制御部（図示せず）に出力している。これにより、ペットボトル内の飲料に発生する対流による誤差（微小な温度変化又はノイズ）を平均することで低減することができる。
【００４１】
なお、本実施形態では温度測定ユニット１４Ａ，１４Ｂを２つ設けたが、これに限定されず、対流による誤差（微小な温度変化又はノイズ）を平均するために３つ以上の温度測定ユニットを設けるようにしてもよい。また、温度測定ユニット１４Ａ，１４Ｂは互いに対向する位置に設ける場合に限定されず、図１０に示すように、保管筒１３に格納されたペットボトル飲料Ｘに関して加熱器１１（マグネトロン）と反対側に２つの温度測定ユニット１４Ａ，１４Ｂを設けるようにしてもよい。さらに、温度測定ユニット１４Ａ，１４Ｂが測定した各温度信号をそれぞれを制御部（図示せず）に出力し、制御部（図示せず）が各温度の平均温度を算出するようにしてもよい。
【００４２】
このように、本実施形態によれば、第１実施形態と同様の効果に加え、複数の温度測定ユニット１４Ａ，１４Ｂを設け、加熱器１１（マグネトロン）がペットボトル飲料Ｘの絞り部Ｘ１にマイクロ波を照射しているときに、温度測定ユニット１４Ａ，１４Ｂが同時に絞り部Ｘ１の温度を測定し、各温度の平均温度を測定しているので、ペットボトル内の飲料に発生する対流による誤差（微小な温度変化又はノイズ）を平均することで低減することができることから、ペットボトル飲料Ｘの絞り部Ｘ１にマイクロ波を照射している間の温度を、更に正確に測定することができる。
【００４３】
図１１は本発明の第５実施形態を示すもので、同図はパイプ及び温度測定ユニットの拡大断面図である。
【００４４】
第５実施形態と第１実施形態との相違点は、保管筒１３と温度測定ユニット１４との間を閉鎖する赤外線透過性のカバー１５ａを備えたことである。なお、前述した第１実施形態と同一構成部分は同一符号をもって表し、その説明を省略する。
【００４５】
すなわち、図１１に示すように、パイプ１５の保管筒１３側の端にカバー１５ａが設けられており、カバー１５ａは赤外線を透過する、例えば薄いポリエチレン製である。これにより、ペットボトル飲料Ｘの絞り部Ｘ１にマイクロ波を照射しているときに、保管筒１３内に対流が発生して風や埃が舞っている場合、保管筒１３内の対流による風や埃がケース１４ｂ内に浸入するのを防止することができる。
【００４６】
なお、本実施形態ではパイプ１５にカバー１５ａを設けるようにしたが、これに限定されず、保管筒１３と温度測定ユニット１４との間を閉鎖する限り、ケース１４ｂにカバー１５ａを設けるようにしてもよい。
【００４７】
このように、本実施形態によれば、第１実施形態と同様の効果に加え、保管筒１３と温度測定ユニット１４との間を閉鎖する赤外線透過性のカバー１５ａを設けたので、保管筒１３内の対流による風や埃がケース１４ｂ内に浸入するのを防止することができるから、風や埃による赤外線放射温度計１４ａの精度低下を防止し、更に正確に温度を測定することができる。
【００４８】
図１２は本発明の第６実施形態を示すもので、同図はパイプ及び温度測定ユニットの拡大断面図である。
【００４９】
第６実施形態と第１実施形態との相違点は、保管筒１３と温度測定ユニット１４との間を閉鎖し、赤外線放射温度計１４ａが絞り部Ｘ１の温度を測定するときに開くシャッター１４ｄを備えたことである。なお、前述した第１実施形態と同一構成部分は同一符号をもって表し、その説明を省略する。
【００５０】
すなわち、図１２に示すように、パイプ１５と連通する開口部を開閉可能なシャッター１４ｄがケース１４ｂに設けられており、赤外線放射温度計１４ａが絞り部Ｘ１の温度を測定するときにシャッター１４ｄを開くようになっている。これにより、温度測定時以外に赤外線温度計１４ａに塵や埃が付着するのを防止することができる。
【００５１】
なお、本実施形態では温度測定ユニット１４にシャッター１４ｄを設けるようにしたが、これに限定されず、保管筒１３と温度測定ユニット１４との間を閉鎖する限り、パイプ１５にシャッター１４ｄを設けるようにしてもよい。
【００５２】
このように、本実施形態によれば、第１実施形態と同様の効果に加え、保管筒１３と温度測定ユニット１４との間を閉鎖し、赤外線放射温度計１４ａが絞り部Ｘ１の温度を測定するときに開くシャッター１４ｄを設けたので、温度測定時以外に赤外線温度計１４ａに塵や埃が付着するのを防止することができるから、埃や埃の付着による赤外線放射温度計１４ａの性能低下を防止し、更に正確に温度を測定することができる。
【００５３】
図１３は本発明の第７実施形態を示すもので、同図はパイプ及び温度測定ユニットの拡大断面図である。
【００５４】
第７実施形態と第１実施形態との相違点は、パイプ１５の内面を黒色１５ｂに塗装したことである。なお、前述した第１実施形態と同一構成部分は同一符号をもって表し、その説明を省略する。
【００５５】
すなわち、図１３に示すように、パイプ１５の内面は黒色１５ｂに塗装されており、擬似的に黒体とみなすことができる。これにより、パイプ１５に入射する赤外線、例えば図において一点鎖線で示される赤外線はパイプ１５の内面によって反射することなく黒色１５ｂに吸収される。
【００５６】
このように、本実施形態によれば、第１実施形態と同様の効果に加え、パイプ１５の内面が黒色１５ｂに塗装されているので、パイプ１５に入射する赤外線はパイプ１５の内面によって反射することなく黒色１５ｂに吸収されることから、赤外線放射温度計１４ａが測定範囲Ａ以外の赤外線を測定することがなく、更に正確に温度を測定することができる。
【００５７】
なお、本発明の構成は、前記各実施形態の構成を組み合わせたり或いは一部の構成部分を入れ替えたりしてもよい。
【００５８】
また、本発明の構成は、前記各実施形態にのみ限定されるものではなく、本発明の要旨を逸脱しない範囲内において種々変更を加えてもよい。
【図面の簡単な説明】
【００５９】
【図１】食品加熱装置の側面図
【図２】図１に示した食品加熱装置にペットボトル飲料を格納した状態を説明する断面図
【図３】図１に示した食品加熱装置の上面図
【図４】図１に示したパイプ及び温度測定ユニットの拡大断面図
【図５】図１に示したパイプ及び温度測定ユニットの変形例を示す拡大断面図
【図６】パイプの断面図
【図７】マイクロ波の減衰特性を示す図
【図８】食品加熱装置の上面図
【図９】食品加熱装置の上面図
【図１０】図９に示した食品加熱装置の変形例を示す上面図
【図１１】パイプ及び温度測定ユニットの拡大断面図
【図１２】パイプ及び温度測定ユニットの拡大断面図
【図１３】パイプ及び温度測定ユニットの拡大断面図
【符号の説明】
【００６０】
１０…食品加熱装置、１１…加熱器（マグネトロン）、１２…導波管、１３…保管筒、１４，１４Ａ，１４Ｂ…温度測定ユニット、１４ａ…赤外線放射温度計、１４ｂ…ケース、１４ｄ…シャッター、１５…パイプ、１５ａ…カバー、１５ｂ…黒色、Ｘ…ペットボトル飲料、Ｘ１…絞り部、Ｘ２…注ぎ口、Ｘ３…胴部。
【図１】
2007335085.tif 000003
【図２】
2007335085.tif 000004
【図３】
2007335085.tif 000005
【図４】
2007335085.tif 000006
【図５】
2007335085.tif 000007
【図６】
2007335085.tif 000008
【図７】
2007335085.tif 000009
【図８】
2007335085.tif 000010
【図９】
2007335085.tif 000011
【図１０】
2007335085.tif 000012
【図１１】
2007335085.tif 000013
【図１２】
2007335085.tif 000014
【図１３】
2007335085.tif 000015